(57)【特許請求の範囲】
【請求項１】
画像データに基づいて、用紙上に画像を形成する画像形成装置において、
原稿の画像データを読み取る読取手段と、
前記読取手段が画像データの読み込み中か否かを判断する判断手段と、
新規の画像形成動作に関する準備操作を検出する検出手段と、
電源投入時、記憶手段に画像形成に関するデータが記憶されている場合において、前記判断手段により、原稿の読み取り状況のデータより、電源が切られた時の読取手段の状態が画像データの読み込み中と判断された場合は、電源が切られた時の画像形成装置の状態を再現し、
前記判断手段により、原稿の読み取り状況のデータより、電源が切られた時の読取手段の状態が画像データの読み込み中でないと判断された場合であり、さらに前記検出手段により新規の画像形成動作に関する準備動作が検出された場合には、画像形成装置の状態を新規な状態とし、
前記判断手段により、原稿の読み取り状況のデータより、電源が切られた時の読取手段の状態が画像データの読み込み中でないと判断された場合であり、さらに前記検出手段により新規の画像形成動作に関する準備動作が検出されない場合には、電源が切られた時の画像形成装置の状態を再現する制御手段を備えることを特徴とする画像形成装置。
【請求項２】
請求項１に記載された画像形成装置において、
原稿台上にセットされた原稿の画像データを読み取る読取手段を備え、
前記検出手段は、原稿台上への新規の原稿のセットを新規画像形成動作に関する準備動作であるとして検出することを特徴とする画像形成装置。
【請求項３】
請求項１に記載された画像形成装置において、
画像形成に関する条件を設定する設定手段を備え、
前記検出手段は、設定手段により新規の画像形成に関する条件が設定されたことを、新規画像形成動作に関する準備動作であるとして検出することを特徴とする画像形成装置。
【請求項４】
請求項１に記載された画像形成装置において、
原稿カバーと原稿台に挟まれた原稿の画像データを読み取る読取手段を備え、
前記検出手段は、原稿カバーが開かれたことを、新規画像形成動作に関する準備動作であるとして検出することを特徴とする画像形成装置。
【発明の詳細な説明】
【０００１】
【発明の属する技術分野】
本発明は、複写機などの画像形成装置に関する。
【０００２】
【従来の技術】
近年、環境問題により、エネルギーの消費量を減らすための改善が、ＯＡ機器、電子機器等に求められてきている。そのため、複写機などの画像形成装置においては、何等操作されていない未使用の状態が一定時間以上続いた場合には、電力消費量を低減するため、装置の一部（操作パネル等）、または、装置全体の電源を切るオートパワーオフ機能を備えるものが知られている。
装置全体の電源を切るオートパワーオフ機能を備える装置では、例えば、利用者が装置の前にいない状況で、用紙切れ等の画像形成処理が継続できないようなトラブルが発生した場合でも、一定時間経過後に装置全体の電源を切ってしまう。通常の画像形成装置では、電源の投入時に画像形成条件（画像を形成して出力する用紙のサイズ、その枚数、及び、用紙上に印刷する画像の濃度等）の初期設定を行う。このため、オートパワーオフ機能の働きにより装置の電源が切られた場合、装置の前に戻った利用者は、装置の電源を再び投入し、例えば、用紙切れの場合には用紙を補給してトラブルを解消した後に、改めて、画像形成条件の設定を行わねばならず、不便である。
このような問題に対処すべく、レジューム機能を備えた画像形成装置では、オートパワーオフ機能の働きにより装置の電源が切られる場合、その時の画像形成に関するデータをバックアップ用のメモリに記憶しておき、次に電源が投入されたときに、メモリに記憶されたデータに基づいて電源が切られる直前の状態を再現する。
【０００３】
【発明が解決しようとする課題】
オートパワーオフ機能の働きにより電源が切られた画像形成装置を次に利用する者は、必ずしも前の利用者と同じであるとは限らない。例えば、利用者が装置の前にいない状況で、用紙切れなどの画像形成処理が継続できないトラブルが発生し、一定時間経過してオートパワーオフ機能の働きにより装置の電源が切られたとする。この後に同じ利用者が装置の電源を再投入した場合、電源が切られた時の装置の状態を再現するレジューム機能は、上記トラブルの解消後に直ちに画像形成動作を継続することができるため有効である。しかし、別の利用者が装置の電源を投入した場合、レジューム機能の働きにより再現される画像形成条件（画像を形成して出力する用紙のサイズ、その枚数、及び、用紙上に印刷する画像の濃度等）は、当該別の利用者が所望する画像形成条件とは異なる場合がある。この場合、当該別の利用者は、前の利用者の設定した画像形成条件を一旦全てリセットした後に、改めて自己の所望する画像形成条件の設定を行わねばならず、レジューム機能はかえって不便である。
【０００４】
本発明の目的は、レジューム機能を備え、優れた操作性を有する画像形成装置を提供することである。
【０００６】
【課題を解決するための手段】
本発明の画像形成装置は、画像データに基づいて、用紙上に画像を形成する画像形成装置において、原稿の画像データを読み取る読取手段と、前記読取手段が画像データの読み込み中か否かを判断する判断手段と、新規の画像形成動作に関する準備操作を検出する検出手段と、電源投入時、記憶手段に画像形成に関するデータが記憶されている場合において、前記判断手段により、原稿の読み取り状況のデータより、電源が切られた時の読取手段の状態が画像データの読み込み中と判断された場合は、電源が切られた時の画像形成装置の状態を再現し、前記判断手段により、原稿の読み取り状況のデータより、電源が切られた時の読取手段の状態が画像データの読み込み中でないと判断された場合であり、さらに前記検出手段により新規の画像形成動作に関する準備動作が検出された場合には、画像形成装置の状態を新規な状態とし、前記判断手段により、原稿の読み取り状況のデータより、電源が切られた時の読取手段の状態が画像データの読み込み中でないと判断された場合であり、さらに前記検出手段により新規の画像形成動作に関する準備動作が検出されない場合には、電源が切られた時の画像形成装置の状態を再現する制御手段を備える。
前記の画像形成装置において、たとえば、原稿台上にセットされた原稿の画像データを読み取る読取手段を備え、前記検出手段は、原稿台上への新規の原稿のセットを新規画像形成動作に関する準備動作であるとして検出する。
また、前記の画像形成装置において、たとえば、画像形成に関する条件を設定する設定手段を備え、前記検出手段は、設定手段により新規の画像形成に関する条件が設定されたことを、新規画像形成動作に関する準備動作であるとして検出する。
また、前記の画像形成装置において、たとえば、原稿カバーと原稿台に挟まれた原稿の画像データを読み取る読取手段を備え、前記検出手段は、原稿カバーが開かれたことを、新規画像形成動作に関する準備動作であるとして検出する。
【０００７】
【発明の実施の形態】
以下、本発明の画像形成装置の実施形態例である複写機について、添付の図面を用いて説明する。
（１）複写機の構成
図１は複写機の上面を示し、図２は複写機の断面を示す。複写機は、原稿台ガラス２上に載置された原稿の画像データを読み取るイメージリーダ部１００と、イメージリーダ部１００で読み取られた原稿の画像データに基づいて、用紙上に画像を出力するプリンタ部２００とに大きく分けられる。
イメージリーダ部１００上に設けられる、原稿カバーとしても用いられる自動原稿搬送装置１は、原稿トレイ１ａに載置された原稿を順に原稿台ガラス２上に搬送する。自動原稿搬送装置１は、支持部材１ｄ及び１ｅにより支持され、上方に開くことができる。従って、原稿は、原稿カバーである自動原稿搬送装置１を開いて直接原稿台ガラス２上に載置しても良い。自動原稿搬送装置１は、原稿トレイ１ａ上に載置されている原稿の有無を検出するセンサ１ｂと、自動原稿搬送装置１の開閉を検出するセンサ１ｃとを備える。複写機の上面に設けられる操作パネル４０については後に説明する。
【０００８】
イメージリーダ部１００において、自動原稿搬送装置１により原稿台ガラス２上に搬送された原稿は、スキャナ１０の備えるランプ３により照射される。原稿面からの反射光は、ミラー４、５及び６を介してレンズ７によって３ラインのフルカラーＣＣＤセンサ８上に像を結ぶ。フルカラーＣＣＤセンサ８は、原稿からの反射光をＲ，Ｇ，Ｂの電気信号に変換して信号処理部１１に出力する。スキャナ１０は、Ｖの速度で矢印の方向（副走査方向）に移動して原稿全体を走査する。スキャナ１０の移動に伴い、ミラー５及び６の格納されるミラーボックス９は、Ｖ／２の速度で矢印の方向に移動する。信号処理部１１は、入力されるＲ，Ｇ，Ｂの画像データをシアン、マゼンタ、イエロー、ブラックの各色成分に変換し、変換した各色成分のデータを、画像メモリ３０４（図４を参照）を介して、１複写毎に順にレーザ制御部１２に出力する。
【０００９】
プリンタ部２００において、レーザ制御部１２は、入力される信号に応じてレーザダイオード駆動信号を生成し、この駆動信号によりレーザダイオード１２ａを発光させる。レーザダイオード１２ａの発光するレーザ光は、ポリゴンミラー１３、ｆ−θレンズ１４、折り返しミラー１５及び１６を介して感光体ドラム１７の表面を走査する。感光体ドラム１７の表面は、１複写毎に露光を受ける前にイレーサランプ２３で照射され、帯電チャージャ２２により一様に帯電されている。この状態で露光を受けると、感光体ドラム１７の表面には、原稿の静電潜像が形成される。シアン、マゼンタ、イエロー、ブラックのそれぞれの色のトナー現像器１８〜２１のうち、まず、シアンのトナー現像器１８が選択され、感光体ドラム１７上の静電潜像を現像する。給紙カセット３０〜３２より適当な用紙が搬送され、搬送ローラ２８に対向して設けられる静電吸着チャージャ２７により転写ドラム２４に吸着される。感光体ドラム１７上に現像されたシアンのトナー像は、転写チャージャ２６により転写ドラム２４上に巻き付けられた複写紙に転写される。シアンに続いて、マゼンタ、イエロー、ブラックのトナー現像器が順に選択され、感光体ドラム１７の帯電、露光、及び、トナー現像が行われる。感光体ドラム１７上に現像された各色のトナー像は、上記転写ドラム２４上に巻き付けられた複写紙上に順に重ねて転写される。４色分のトナー像が転写された複写紙は、転写ドラム２４の表面が分離除電チャージャ２５により除電されることで、その表面より分離し、定着装置２９を通って定着された後にトレイ３１に排出される。
【００１０】
（２）操作パネル
図３は、操作パネル４０の正面図である。液晶タッチパネル４１は、動作モードや紙詰まりや用紙切れのメッセージを表示し、また、メッセージに応じて複写モードを設定するためのタッチキーを表示する。テンキー４２は、コピー枚数や複写倍率等の数値条件を設定するキーである。クリアキー４３は、数値条件を標準値に戻すキーである。スタートキー４４は、コピーを開始するキーである。ストップキー４５は、コピー動作を停止するキーである。パネルリセットキー４６は、設定された複写モードを初期化するキーである。原稿指定キー４７は、片面原稿であるのか、両面原稿であるのかを指定するためのキーである。複写モードキー４８は、両面コピーと片面コピーとを切り換えるためのキーである。仕上げモードキー４９は、電子ソートを行うか否かを指定するためのキーである。
【００１１】
（３）制御ブロック
図４は、複写機の制御ユニットを示す図である。中央演算処理装置（以下、ＣＰＵという）３００は、操作パネル４０、イメージリーダ部１００、プリンタ部２００、制御プログラムの格納されているＲＯＭ３０１、操作パネル４０を介して設定されたコピー枚数や複写モードなどのコピー条件のデータを記憶するＲＡＭ３０２、イメージリーダ部で読み取られた原稿の画像データを一旦記憶する画像メモリ３０３、バックアップ用電源３０４、電源ユニット３０５、レジューム機能やオートパワーオフ機能を働かすタイミングを計数するタイマー３０６、及び、その他の制御部３０７に接続される。操作パネル４０、イメージリーダ部１００、及び、プリンタ部２００は、それぞれＣＰＵを備え、独立に動作し、それぞれＣＰＵ３００と通信ドライバを介してシリアル通信を行い、データやコマンドのやりとりを行う。イメージリーダ部１００で読み取られた原稿の画像データは、一旦画像メモリ３０３に記憶され、必要に応じてプリンタ部２００に出力される。なお、画像メモリ３０３は、十分な容量を有し、一度にＡ３サイズ５０枚分の原稿の画像データを記憶することができる。また、画像メモリ３０３に記憶されている複数の原稿の画像データは、任意の順番で読み出すことができる。ＣＰＵ３００は、一定時間コピー中断の状態が継続した場合に、オートパワーオフ機能を働かせ、電源ユニット３０５に所定の制御信号を送り、装置への電源供給を停止させる。バックアップ用電源３０４は、ＲＡＭ３０２及び画像メモリ３０３に接続されており、オートパワーオフ機能の働きによる電源供給の停止時においてもＲＡＭ３０２に記憶される、原稿の読み取り状況に関するデータや、複写モードを表す各パラメータ値、及び、画像メモリ３０３に記憶される画像データ３０４といった画像形成に関するデータの内容を保持する。なお、バックアップ用電源３０４を備えるかわりにＲＡＭ３０２及び画像メモリ３０３に不揮発性メモリを用いてもよいし、オートパワーオフ実行時にＲＡＭ３０２及び画像メモリ３０３の内容をバックアップ用の不揮発性メモリにコピーしてもよい。
【００１２】
（４）複写機の制御
本実施形態の複写機は、紙詰まりなどのトラブルが発生してコピー処理が中断し、一定の時間が経過した場合に自動的に装置の電源を切るオートパワーオフ機能を備えると共に、オートパワーオフ機能の働きにより電源が切られた後に、再び電源を投入した場合には、新規コピーを実行する場合を除いて電源が切られる直前の状態を再現するレジューム機能を備える。ここで、原稿の画像データの読み取り中に、トラブルが発生して電源が切られた場合には、レジューム機能により、電源が切られる直前の状態を再現して中断された原稿の読み取り動作を再び実行させる。また、原稿の画像データの読み取りは終了しており、プリンタ部２００における処理中に、紙詰まり等のトラブルが発生して電源が切られた場合には、レジューム機能により電源が切られる前の状態を再現してプリンタ部２００における複写紙への印刷処理を再び実行させる。
なお、新規コピーが行われるか否かの判断は、複写機の電源投入後に、当該複写機に対して新規コピーの準備とみなされる操作（以下、準備操作という）が行われるか否かを検出して行う。本複写機では、準備操作とは、自動原稿搬送装置１の原稿トレイ１ａ上に原稿を載せる操作、原稿を原稿台ガラス２上に直接載置するために、原稿カバーに相当する自動原稿搬送装置１を上に持ち上げる操作、また、複写モードの設定のために操作パネル４０上に設けてある何れかのキーを押下する操作をいう。この準備操作をセンサ等により検出した場合には、利用者が新規コピーの準備を行っていると判断する。
【００１３】
図５は、ＲＡＭ３０２のメモリマップである。ＲＡＭ３０２内は、プログラムの動作状態を記憶する作像データエリア４０１と、コピー実行中等の複写機の状態を記憶する複写ステータスエリア４０２と、利用者により操作パネル４０を介して設定された複写モードに関するデータを記憶する複写モードエリア４０３と、設定されている複写モードに基づいて定められる、画像メモリ３０３に格納している原稿の画像データの読み出し順序等のデータを記憶する複写ジョブテーブルエリア４０４と、画像メモリ３０３内に記憶している各画像のアドレス、サイズ、及び、圧縮されているか否かといった記憶形態等の情報を記憶する画像情報テーブルエリア４０５とに大きく分けられる。画像情報テーブルエリア４０５には、各原稿について、イメージリーダ部１００における原稿画像の読み取り率が書き込まれる。この原稿画像の読み取り率は、例えば、原稿全体の画像データの読み取りが終了している場合には、その原稿については、１００％である。また、原稿の読み取りが半分まで済んでるときに、何らかの理由で複写機の電源が切られた場合には、その原稿についての読み取り率は５０％となる。なお、ＲＡＭ３０２には、バックアップ用電源３０４が接続されており、オートパワーオフ機能等の働きによりコピー動作中に電源が切られても内部に書き込まれたデータは保存される。
【００１４】
作業データエリア４０１は、実際の作業データを格納するエリア４０１ａと、バックアップ用のデータ待避エリア４０１ｂとからなる。エリア４０１ａには、プログラムが動作する際に必要な各パラメータ値等が記憶される。複写ステータスエリア４０２は、作業データエリア４０１と同様に、実際のコピー状態を表すデータを格納するエリア４０２ａと、バックアップ用の待避エリア４０２ｂとからなる。エリア４０２ａには、コピー実行中である等のコピー動作の状態に関するデータが書き込まれる。例えば、自動原稿搬送装置１内において搬送中の原稿が詰まった場合には、当該原稿詰まりが発生したことを意味するデータが書き込まれる。また、コピー実行中にプリンタ部２００内の搬送路において用紙が詰まった場合には、当該用紙詰まりが発生したことを意味するデータが書き込まれる。また、コピーが正常に終了した場合には、次の新規コピーを待機していることを意味するデータが書き込まれる。
バックアップ用電源３０４の働きにより、電源が切られても作業データエリア４０１及び複写ステータスエリア４０２に書き込まれているデータは保存される。ＣＰＵ３００は、複写機の電源が投入された際に、作業データエリア４０１に電源が切られる直前の各パラメータ値等が保存されている場合、当該保存されている各パラメータ値に基づいて、電源が切られる直前の複写機の状態を再現する。なお、電源の再投入後に新規コピーが行われる場合を考慮して、電源を投入した時点で、一旦、エリア４０１ａ及び４０２ａ内のデータを待避エリア４０１ｂ及び４０２ｂに待避させ、エリア４０１ａ及び４０２ａ内に書き込まれているデータをクリアする。ＣＰＵ３００は、新規コピーの準備に関する何らかの操作が行われた場合、例えば、新規原稿が原稿トレイ１ａ上に載置されたような場合には、まず、新規のコピーを行った後に、レジューム機能を働かせて各データを待避エリア４０１ｂ及び４０２ｂからエリア４０１ａ及び４０２ａにコピーして電源が切られる直前の状態を再現する。
【００１５】
図６は、ＣＰＵ３００の実行する制御処理のメインルーチンのフローチャートである。装置の電源投入に伴い、レジスタなどの初期化を行った後に（ステップＳ１）、前回コピー中に、オートパワーオフ機能の働きにより電源が切られたか否かを調べ、その結果に基づいてレジューム機能を実行するためのデータ保存処理を行う（ステップＳ２）。１ルーチンの時間的な長さを規定する内部タイマーのセットを行い（ステップＳ３）、操作パネル４０を介して送られてくるキー入力信号を受け付ける（ステップＳ４）。ここで、スタートキー４４が押下された場合には（ステップＳ５）、状況判断処理を行い（ステップＳ６）、前回どのような状態で装置の電源が切られたかを判断し、次にレジューム機能を働かすか否かを判断し、そしてレジューム機能を働かせる場合には、その内容を決定する。スタートキー４４が押下されない場合には、ステップＳ６の処理をスキップする。その他のコピー処理を行った後に（ステップＳ７）、オートパワーオフ機能を働かせるタイミング制御であるオートパワーオフ制御を実行し（ステップＳ８）、内部タイマーの終了を待って（ステップＳ９でＹＥＳ）、上記ステップＳ３に戻る。
【００１６】
図７は、データ保存処理（図６、ステップＳ２）のフローチャートを示す。ＲＡＭ３０２内における複写ステータスエリア４０２ａに書き込まれている複写機の状態に関するデータに基づいて、コピーが正常に終了して次の新規のコピーを待機している状態であるのか否かを調べる（ステップＳ２０）。ここで、複写機の状態がコピー動作の中断状態である場合には（ステップＳ２０でＹＥＳ）、何らかのトラブルが発生してコピーが一定時間以上中断したため、オートパワーオフ機能が働いて電源が切られたと判断できる。そこで、レジューム機能を働かせるための準備として、recover_jobフラグを１にし（ステップＳ２１）、エリア４０１ａ及び４０２ａに書き込まれているデータをエリア４０１ｂ及び４０２ｂに待避させて保存する（ステップＳ２２）。複写機が新規コピーを待機中の場合には（ステップＳ２０でＮＯ）、レジューム機能を働かせる必要はないと判断してrecover_jobフラグを０にする（ステップＳ２３）。ステップＳ２２又はステップＳ２３の処理の後にエリア４０１ａ及び４０２ａに書き込まれているデータをクリアする（ステップＳ２４）。
【００１７】
図８は、状況判断処理（図６、ステップＳ６）のフローチャートである。recover_jobフラグが０の場合には（ステップＳ４０でＮＯ）、前回のコピーが正常に終了しており、次の新規コピーの実行モードを設定する（ステップＳ５２）。一方、recover_jobフラグが１の場合（ステップＳ４０でＹＥＳ）、オートパワーオフ機能により装置の電源が切られたと判断することができる。そこで、複写ステータスエリア４０２の待避エリア４０２ｂに書き込まれているデータより、コピー中断時の複写機の状態を調べる。原稿の画像データの読み取り中である場合には、例えば、原稿詰まり等のトラブルが発生して、読み取り動作が中断したと判断できる（ステップＳ４１でＹＥＳ）。そこで、ＲＡＭ３０２内の作業データエリア４０１の待避エリア４０１ｂに書き込まれている各パラメータ値等のデータを実際の作業エリア４０１ａに書き込むと共に、複写ステータスエリア４０２の待避エリア４０２ｂに書き込まれているデータをエリア４０２ａに書き込んで、コピーの中断された状態を再現する（ステップＳ４２）。recover_jobフラグを０にし（ステップＳ４３）、残りの原稿の画像データの読み取りを開始する（ステップＳ４４）。
また、原稿の画像データの読み取りが終了している場合には、例えば、プリンタ部２００内において紙詰まり等のトラブルが生じコピーが中断したと判断できる（ステップＳ４１でＮＯ）。自動原稿搬送装置１、または、原稿台ガラス２上に原稿がセットされているか否かを調べる（ステップＳ４５）。なお、自動原稿搬送装置１への原稿のセットは、原稿トレイ１ａに設けられたセンサ１ｂの出力値より調べることができる。また、原稿台ガラス２上に原稿がセットされているか否かは、コピー用の画像データを読み取る前に予備スキャンを実行し、当該スキャンにより得られる画像データに原稿の画像データが存在するか否かを判断して行う。この他、原稿台ガラス２の所定位置に原稿検出用のセンサを設け、当該センサ値に基づいて原稿の存在の有無を判断しても良い。ここで、新規原稿が原稿トレイ１ａ、または、原稿台ガラス２に載置されていると判断される場合（ステップＳ４６でＹＥＳ）、操作パネル４０上のキーが操作されて新規の複写モードが設定された場合（ステップＳ４７でＹＥＳ）、または、原稿を原稿台ガラス２上に載置するために、原稿カバーである自動原稿搬送装置１が上方に開かれたことがセンサ１ｃにより検出された場合（ステップＳ４８でＹＥＳ）、各々新規コピーを行うモードを設定する（ステップＳ５２）。利用者により新規コピーを行う準備がなされていない場合（ステップＳ４６〜４８のそれぞれについてＮＯ）、ＲＡＭ３０２内の作業データエリア４０１の待避エリア４０１ｂに書き込まれている各パラメータ値等のデータを実際の作業エリア４０１ａに書き込むと共に、複写ステータスエリア４０２の待避エリア４０２ｂに書き込まれているデータをエリア４０２ａに書き込んで、コピーの中断された状態を再現する（ステップＳ４９）。recover_jobフラグを０にし（ステップＳ５０）、プリンタ部２００におけるコピー処理を再開する（ステップＳ５１）。
【００１８】
図９は、オートパワーオフ制御（図６、ステップＳ８）のフローチャートである。ＲＡＭ３０２の複写ステータスエリア４０２に書き込まれているデータより、原稿詰まりや、紙詰まり等のトラブルの発生により、コピーが中断していることが確認された場合（ステップＳ６０でＹＥＳ）、オートパワーオフ機能を働かせるタイミングの計数値であるpwoff_contをカウントアップする（ステップＳ６１）、コピー中でない場合、または、コピー中であるが何等トラブルは発生していない場合には（ステップＳ６０でＮＯ）、計数値pwoff_contを０にする（ステップＳ６２）。pwoff_contの値が所定値となった場合、即ち、コピー中断の状態が一定時間以上継続した場合には（ステップＳ６３でＹＥＳ）、オートパワーオフ機能を働かせ、pwoff_contを０にリセットした後に、電源ユニット３０５に所定の制御信号を送り、電源をオフにする（ステップＳ６５）。また、pwoff_contの値が未だ所定値となっていない場合（ステップＳ３でＮＯ）、直ちにリターンする。
【００１９】
【発明の効果】
本発明の画像形成装置は、電源再投入時に、電源遮断直前の状態を再現するレジューム機能を備えるとともに、通常の利用者が新規の画像形成動作に関する準備を行う際に採る操作を想定し、これを検出する検出手段を備える。この検出手段により新規の画像形成動作に関する準備動作を検出した場合には、何ら特別な動作を行わずともレジューム機能をキャンセルし、直ちに新規の画像形成動作を行うことができる。
【図面の簡単な説明】
【図１】  複写機の正面図を示す。
【図２】  複写機の断面図を示す。
【図３】  操作パネルの正面図である。
【図４】  複写機の制御ユニットを示す図である。
【図５】  ＲＡＭのメモリマップである。
【図６】  制御処理のメインルーチンのフローチャートである。
【図７】  データ保存処理のフローチャートを示す。
【図８】  状況判断処理のフローチャートである。
【図９】  オートパワーオフ制御のフローチャートである。
【符号の説明】
４０…操作パネル
１００…イメージリーダ部
２００…プリンタ部
３００…ＣＰＵ
３０１…ＲＯＭ
３０２…ＲＡＭ
３０３…画像メモリ
３０４…バックアップ用電源
３０５…電源ユニット
３０６…タイマー
４０１…作像データエリア
４０２…複写モードエリア
【図１】
0003645960.tif 000002
【図２】
0003645960.tif 000003
【図３】
0003645960.tif 000004
【図４】
0003645960.tif 000005
【図５】
0003645960.tif 000006
【図６】
0003645960.tif 000007
【図７】
0003645960.tif 000008
【図８】
0003645960.tif 000009
【図９】
0003645960.tif 000010